(57)【要約】      （修正有）【課題】構造が簡単で製造コストが安価であり、寸法が小さくて邪魔にならない用紙三つ折り器具を提供する。【解決手段】シート本体２０は長方形に形成されており、基準辺１０及びガイド辺１４は直線状に構成されている。この基準辺１０に平行に、折り目１（１１）、折り目２（１２）、折り目３（１３）が形成されており、各折り目により区切られているシート片Ａ（１）、シート片Ｂ（２）及びシート片Ｃ（３）は、同じ面積、つまり長辺と短辺の長さが同じに形成されている。シート片Ｄ（４）は補助的に使用するため、左右の幅や右側辺の形状（直線、曲線等）は規制されない。【選択図】図２
0003176598.tif 000002
【実用新案登録請求の範囲】
【請求項１】
少なくとも隣接する２辺が直交する直線状に形成された柔軟性シートにおいて、前記２辺は基準辺とガイド辺であり、前記基準辺に平行に３本の直線状折り目が設けてあり、前記基準辺及び各折り目の間隔が等しいことを特徴とする用紙三つ折り器具。
【請求項２】
前記基準辺と前記各折り目により形成されるシート片Ａ、ＢおよびＣの幅が、Ａ４版またはＢ５版用紙の長手方向長さの３分の１であることを特徴とする請求項１記載の用紙三つ折り器具。
【請求項３】
前記柔軟性シートの材質が厚紙またはプラスチックであることを特徴とする請求項１または２に記載の用紙三つ折り器具。
【請求項４】
前記柔軟性シートにおいて、前記基準辺から最初の折り目までの前記シート片Ａが１８０度折り返されて前記シート片Ｂと重ね合わされており、これらのシート片Ａとシート片Ｂが前記ガイド辺に沿って固着されていることを特徴とする請求項１乃至３のいずれかに記載の用紙三つ折り器具。
【考案の詳細な説明】
【技術分野】
【０００１】  本考案は、事務用紙を３等分にきちんと折り畳むための補助器具に関する。
【背景技術】
【０００２】  現在、事務用紙としてはＡ４版またはＢ５版が主として使用されており、これらの用紙を郵送する場合、封筒に入れるために三つ折りすることが行われている。三つ折りには図１に示したように、同じ方向に２回折り返す「巻回折り」（図１（ａ））と用紙上部に印刷した宛先を表面に出すための「ジグザグ折り」（図１（ｂ））とがあるが、いずれの場合も器具を使用せずにきちんと折り畳むことは困難であった。【０００３】  このような問題を解決するため、特許文献１においては簡易型の紙折り器具が提案されている。この器具は、エッジを設けたプレートとペンとからなり、用紙をプレート上に一を合わせて置いた後ペンでエッジ上をなぞることによって用紙に折り目線を形成する。しかし、この方法では折り目線を２本形成するには用紙を半回転させて再度同じ手順を行わなければならず、用紙を三つ折りするために時間が掛かってしまう。従って、多くの用紙を三つ折りするのには適さない。また、プレートとペンという２つの器具を使用しなければならないため、作業が複雑である。【０００４】  このような不具合を解決するため、特許文献２においては、一度に複数の折り目をつけることのできる折り目付け装置が提案されている。この装置では、複数の溝が形成された本体部と、それらの溝に適合する圧迫部材を設けた蓋部とからなっており、用紙を本体部所定位置に置いた後、蓋部を閉じて圧迫部材を押圧することにより、用紙に一度に複数の折目線を付けることができる。しかしながら、この装置は用紙より寸法が大きくなるため場所を取り、あまり余裕のない事務室等では使用しないときに片付けなければならないという問題があった。また、本体部と蓋部とを閉じて押圧するため頑丈な部材が必要であり、部品点数も多いので、製造原価が高くなるという問題点もあった。【０００５】
【特許文献１】特開平１１−１４７６６８号公報
【特許文献２】特開２０００−６２７４号公報
【考案の開示】
【考案が解決しようとする課題】
【０００６】  上記問題点に鑑みて、本考案による用紙三つ折り器具では、構造が簡単で製造コストが安価であり、寸法が小さくて邪魔にならない器具を提供することを課題とする。
【課題を解決するための手段】
【０００７】  上記課題を解決するため、本考案による用紙三つ折り器具は、少なくとも隣接する２辺が直交する直線状に形成された柔軟性シートにおいて、前記２辺は基準辺とガイド辺であり、前記基準辺に平行に３本の直線状折り目が設けてあり、前記基準辺及び各折り目の間隔が等しいことを特徴とする。【０００８】  前記基準辺と前記各折り目により形成されるシート片Ａ、ＢおよびＣの幅が、Ａ４版またはＢ５版用紙の長手方向長さの３分の１であることが望ましい。【０００９】  前記柔軟性シートの材質が厚紙またはプラスチックで構成することが好適である。【００１０】  前記柔軟性シートにおいて、前記基準辺から最初の折り目までの前記シート片Ａが１８０度折り返されて前記シート片Ｂと重ね合わされており、これらのシート片Ａとシート片Ｂが前記ガイド辺に沿って固着されていることがより好ましい。
【考案の効果】
【００１１】  本考案による用紙三つ折り器具では、簡便かつ容易に事務用紙を三つ折りすることができる。また、構造が簡単で製造コストが安価であり、寸法が小さくて邪魔にならない用紙三つ折り器具を提供することができる。
【考案を実施するための最良の形態】
【実施例】
【００１２】  以下、図面に基づいて本考案の好適な実施例について説明する。図２に本考案の用紙三つ折り器具に使用するシートの基本構成図を示した。このシート本体（２０）は長方形に形成されており、基準辺（１０）及びガイド辺（１４）は直線状に構成されている。この基準辺（１０）に平行に、折り目１（１１）、折り目２（１２）、折り目３（１３）が形成されており、各折り目により区切られているシート片Ａ（１）、シート片Ｂ（２）及びシート片Ｃ（３）は、同じ面積、つまり長辺と短辺の長さが同じに形成されている。シート片Ｄ（４）は補助的に使用するため、図２における左右の幅や右側辺の形状（直線、曲線等）は規制されない。【００１３】  図３（ａ）は、本考案による用紙三つ折り器具の形状を示す。図２におけるシート片Ａ（１）の上辺側に接着片（５）を設けた上で、折り目１（１１）に沿って谷折りすることにより、シート片Ａ（１）をシート片Ｂ（２）に重ね、接着片（５）をガイド辺（１４）に沿って図２の裏側に折り返してシート片Ｂ（２）の裏側で接着する。これにより、図２においてシート片Ａ（１）の上側と左側が閉じられ、事務用紙を折り曲げる際のガイド（４１と４２）として機能する。さらに、シート片Ａ（１）の左上隅に切り欠き部（６）を設けることにより、事務用紙をシート片Ａ（１）とシート片Ｂ（２）の間に挿入した際に、用紙の２辺がきちんとガイド（４１及び４２）に接するように手で誘導することができる。図３（ｂ）は、図３（ａ）のＡ−Ａ’地点における断面図を示す。シート片Ａ（１）を折り返し、接着片（５）をシート片Ｂ（２）に固定しただけであるため、シート本体（２０）から一体的に器具を構成することができる。【００１４】  次に、上記本考案の実施例についての使用方法を図４に示した。図４（ａ）において、先にも述べたように、事務用紙（３０）をシート片Ａ（１）とシート片Ｂ（２）の間に挿入し、上辺と左辺がガイド（４１および４２）に接するように切り欠き部６を通して手で誘導する。続いて、（ｂ）に示したように、器具本体を折り目２（１２）に沿って用紙（３０）とともに谷折りする。さらに、この状態からシート片Ｄ（４）を用紙（３０）とともにやはり谷折りすることにより、（ｃ）に示したように、用紙（３０）がきれいに三つ折りされる。この後、用紙（３０）を器具本体（２０）から取り外すことにより、図１（ｂ）に示したジグザグ折りされた用紙が完成する。上述の手順は、事務用紙を複数枚一緒に重ねて行うこともできるため、事務効率の向上が可能である。【００１５】  巻回折りするためには、上記図４（ｂ）の状態から、さらにシート片Ｄ（４）を用紙（３０）とともに山折りすることにより、図１（ａ）に示した折り方を行うことができる。【００１６】  本考案の用紙三つ折り器具の材料としては、柔軟性があり折り目を形成できる材料であれば、厚紙、プラスチックを含めて何でも利用できるが、コストを最優先に考えた場合、厚紙が好適である。また、用紙三つ折り器具の形状としては、基準辺（１０）とガイド辺（１４）が直交する直線状に形成されていればよいため、上述の実施例のように必ずしも長方形である必要はない。他の２辺を曲線状とするなど、デザイン性を考��することも可能である。【００１７】  以上説明したように、本考案の用紙三つ折り器具は用紙であれば基本的にどんな大きさのものにも応用可能であるが、封筒に入れる事務用紙のサイズを考えると、Ａ４版またはＢ５版が最適である。
【産業上の利用可能性】
【００１８】  本考案によれば、簡便かつ容易に事務用紙を三つ折りすることができる用紙三つ折り器具を安価で提供することが可能となり、事務作業の効率向上に資するものである。
【図面の簡単な説明】
【００１９】
【図１】事務用紙の三つ折りの方法を示す説明図である。
【図２】本考案の用紙三つ折り器具に使用するシートの基本構成図を示す。
【図３】（ａ）は、本考案による用紙三つ折り器具の形状を示す。（ｂ）は、図３（ａ）のＡ−Ａ’地点における断面図を示す。
【図４】本考案の用紙三つ折り器具の使用方法を示す説明図である。
【符号の説明】
【００２０】１    シート片Ａ
２    シート片Ｂ
３    シート片Ｃ
４    シート片Ｄ
５    接着片
６    切り欠き部
１０  直線辺
１１  折り目１
１２  折り目２
１３  折り目３
１４  ガイド辺
２０  シート本体
３０  用紙
４１  ガイド部
４２  ガイド部
【図１】
0003176598.tif 000003
【図２】
0003176598.tif 000004
【図３】
0003176598.tif 000005
【図４】
0003176598.tif 000006